(57)【要約】【課題】上部に十分な空間がない場所に置いた場合であっても家庭用薄葉紙を容易に取り出すことができる家庭用薄葉紙収納容器を提供する。【解決手段】家庭用薄葉紙を複数積層されて内部に収納すると共に上部に家庭用薄葉紙を取り出すための開口部を有する平面視略矩形の容器本体１と、開口部ＡＰを覆う蓋部Ｃ、蓋部Ｃの後端部から下方に延出する後壁部ＢＰ、蓋部Ｃの左右の側面から下方に延出する側壁部ＳＰを有し、後壁部ＢＰと側壁部ＳＰとで囲まれた空間内に容器本体を収容する蓋本体２と、容器本体１と蓋本体２を係止する係止部３とを備え、係止部３により容器本体１と蓋本体２とが係止された状態では、開口部ＡＰが蓋部Ｃにより覆われた状態を維持するとともに、係止部３による係止が解除された状態では、弾性部材４の付勢力により容器本体１が蓋本体２の前方向に押し出されて開口部ＡＰが露出した状態となる。【選択図】図１
2014210598.tif 000002
【特許請求の範囲】
【請求項１】
家庭用薄葉紙が複数積層されて内部に収納されると共に上部に前記家庭用薄葉紙を取り出すための開口部を有する平面視略矩形の容器本体と、
前記開口部を覆う蓋部、前記蓋部の後端部から下方に延出する後壁部、前記蓋部の左右の側面から下方に延出する一対の側壁部を有し、前記後壁部と一対の側壁部とで囲まれた空間内に前記容器本体を収容する蓋本体と、
前記容器本体の背面部と当該背面部が対向する前記後壁部との間に設けられ、前記容器本体を前方向に付勢する弾性部材と、
前記容器本体と前記蓋本体を係止する係止部と、を備え、
前記係止部により前記容器本体と前記蓋本体とが係止された状態では、前記開口部が前記蓋部により覆われた状態を維持するとともに、前記係止部による係止が解除された状態では、前記弾性部材の付勢力により前記容器本体が前記蓋本体の前方向に押し出されて前記開口部が露出した状態となることを特徴とする家庭用薄葉紙収納容器。
【請求項２】
前記開口部を覆うように気密性シートが設けられることを特徴とする請求項１に記載の家庭用薄葉紙収納容器。
【請求項３】
前記蓋本体であって前記容器本体の前記開口部の縁部を覆う部分及び前記容器本体の前記開口部の縁部のうち少なくとも一方に、気密性部材が設けられることを特徴とする請求項１又は２に記載の家庭用薄葉紙収納容器。
【請求項４】
前記容器本体と前記係止部とが一体成型されたことを特徴とする請求項１〜３のいずれか一項に記載の家庭用薄葉紙収納容器。
【請求項５】
前記弾性部材は、前記容器本体の背面部と当該背面部が対向する前記蓋本体の後壁部とに設けられた固定部材によって固定されることを特徴とする請求項１〜４のいずれか一項に記載の家庭用薄葉紙収納容器。
【請求項６】
前記容器本体の側面部であって前記弾性部材の付勢の方向に平行にレールを設け、前記蓋本体の側壁部の内側であって前記レールに係合するにガイドレールを設け、前記レールと前記ガイドレールが係合した状態で前記空間内に前記容器本体を収容することを特徴とする請求項１〜５のいずれか一項に記載の家庭用薄葉紙収納容器。
【請求項７】
前記蓋本体の蓋部の正面に、前記開口部が前記蓋部により覆われた状態で前記係止部を覆う部材が設けられることを特徴とする請求項１〜６のいずれか一項に記載の家庭用薄葉紙収納容器。
【発明の詳細な説明】
【技術分野】
【０００１】
本発明は、家庭用薄葉紙収納容器に関する。
【背景技術】
【０００２】
従来、トイレの壁や床及び便器等のトイレ空間の拭き掃除に用いられるトイレクリーナー等の家庭用薄葉紙を収納する家庭用薄葉紙収納容器が知られている。家庭用薄葉紙収納容器は、家庭用薄葉紙を収納する容器本体と、容器本体の開口部を塞ぐための蓋部とを備え、当該蓋部を開けることにより、収納されている家庭用薄葉紙を容器本体の開口部から取り出すことができるようになっている。
【０００３】
かかる家庭用薄葉紙収納容器では、蓋部が、容器本体上部の開口部の周辺に回動可能に設けられて当該開口部を開閉自在とする構成の家庭用薄葉紙収納容器が開示されている（例えば、特許文献１参照）。
【先行技術文献】
【特許文献】
【０００４】
【特許文献１】特開２０１１−００６１１３号公報
【発明の概要】
【発明が解決しようとする課題】
【０００５】
しかしながら、特許文献１に記載された家庭用薄葉紙収納容器では、蓋部が、容器本体上部の開口部の周辺に回動可能に設けられているため、上部に十分な空間がない棚や収納場所等に、家庭用薄葉紙収納容器を置いて使用する場合には、蓋部が壁や棚等の上部に引っかかってしまい完全に開くことができず、内部の家庭用薄葉紙を取り出せないという問題点があった。
【０００６】
本発明の課題は、上部に十分な空間がない場所に置いた場合であっても家庭用薄葉紙を容易に取り出すことができる家庭用薄葉紙収納容器を提供することにある。
【課題を解決するための手段】
【０００７】
前記課題を解決するために、請求項１記載の発明は、
家庭用薄葉紙が複数積層されて内部に収納されると共に上部に前記家庭用薄葉紙を取り出すための開口部を有する平面視略矩形の容器本体と、
前記開口部を覆う蓋部、前記蓋部の後端部から下方に延出する後壁部、前記蓋部の左右の側面から下方に延出する一対の側壁部を有し、前記後壁部と一対の側壁部とで囲まれた空間内に前記容器本体を収容する蓋本体と、
前記容器本体の背面部と当該背面部が対向する前記後壁部との間に設けられ、前記容器本体を前方向に付勢する弾性部材と、
前記容器本体と前記蓋本体を係止する係止部と、を備え、
前記係止部により前記容器本体と前記蓋本体とが係止された状態では、前記開口部が前記蓋部により覆われた状態を維持するとともに、前記係止部による係止が解除された状態では、前記弾性部材の付勢力により前記容器本体が前記蓋本体の前方向に押し出されて前記開口部が露出した状態となることを特徴とする。
【０００８】
請求項２記載の発明は、請求項１に記載の家庭用薄葉紙収納容器において、前記開口部を覆う気密性シートが設けられることを特徴とする。
【０００９】
請求項３記載の発明は、請求項１又は２に記載の家庭用薄葉紙収納容器において、前記蓋本体であって前記容器本体の前記開口部の縁部を覆う部分及び前記容器本体の前記開口部の縁部のうち少なくとも一方に、気密性部材が設けられることを特徴とする。
【００１０】
請求項４記載の発明は、請求項１〜３のいずれか一項に記載の家庭用薄葉紙収納容器において、前記容器本体と前記係止部とが一体成型されたことを特徴とする。
【００１１】
請求項５記載の発明は、請求項１〜４のいずれか一項に記載の家庭用薄葉紙収納容器において、前記弾性部材は、前記容器本体の背面部と当該背面部が対向する前記蓋本体の後壁部とに設けられた固定部材によって固定されることを特徴とする。
【００１２】
請求項６記載の発明は、請求項１〜５のいずれか一項に記載の家庭用薄葉紙収納容器において、前記容器本体の側面部であって前記弾性部材の付勢の方向に平行にレールを設け、前記蓋本体の側壁部の内側であって前記レールに係合するにガイドレールを設け、前記レールと前記ガイドレールが係合した状態で前記空間内に前記容器本体を収容することを特徴とする。
【００１３】
請求項７記載の発明は、請求項１〜６のいずれか一項に記載の家庭用薄葉紙収納容器において、前記蓋本体の蓋部の正面に、前記開口部が前記蓋部により覆われた状態で前記係止部を覆う部材が設けられることを特徴とする。
【発明の効果】
【００１４】
本発明によれば、容器本体を蓋本体に押し込むと共に、係止部により容器本体と蓋本体とを係止して、開口部が蓋部により覆われた状態を維持させることができ、係止部による係止が解除された場合、容器本体が弾性部材の付勢力により蓋本体から前方向に押し出されて開口部が露出した状態を実現することができるので、上部に十分な空間がない棚や収納場所等に、家庭用薄葉紙収納容器を置いて使用する場合であっても、蓋部が壁や棚等の上部に引っかかることはなく、家庭用薄葉紙を容易に取り出すことができる。
【図面の簡単な説明】
【００１５】
【図１】実施形態の家庭用薄葉紙収納容器の一例を示す斜視図である。
【図２】実施形態の家庭用薄葉紙収納容器の開状態の一例を示す側面図である。
【図３】実施形態の家庭用薄葉紙収納容器の開状態の一例を示す斜視図である。
【図４】変形例１の容器本体の一例を示す斜視図である。
【図５】変形例２の蓋部の一例を示す斜視図である。
【図６】変形例３の蓋部の一例を示す斜視図である。
【図７】変形例４の家庭用薄葉紙収納容器の開状態の一例を示す側面図である。
【図８】変形例５の家庭用薄葉紙収納容器の一例を示す斜視図である。
【図９】変形例６の家庭用薄葉紙収納容器の一例を示す斜視図である。
【発明を実施するための形態】
【００１６】
以下、図面を参照しつつ、本発明の実施形態である家庭用薄葉紙収納容器を詳細に説明する。但し、発明の範囲は、図示例に限定されない。
【００１７】
（実施形態）
本発明の実施形態の家庭用薄葉紙収納容器について、図１〜３に基づいて説明する。
【００１８】
家庭用薄葉紙収納容器１００は、図１〜３に示すように、家庭用薄葉紙を収納、若しくは、取り出すための開口部ＡＰが上部に設けられ、内部に家庭用薄葉紙を収納するための容器本体１と、容器本体１の開口部ＡＰを覆うと共に容器本体１を押し込むことにより容器本体１を収容する蓋本体２と、容器本体１の正面部に設けられ、容器本体１の正面部と蓋本体２の正面部とを係止することにより、開口部ＡＰが蓋部により覆われた状態を維持する係止部である開閉ボタン３とを備えている。
【００１９】
容器本体１は、平面視略矩形の形状であり、正面部Ｆ、背面部Ｂ、一対の側面部Ｓ及び底面部Ｔを有し、正面部Ｆ、背面部Ｂ、一対の側面部Ｓ及び底面部Ｔで構成される空間内部にウェットシートやウェットティシュー等のウェットタイプの家庭用薄葉紙Ｐを収納可能に構成されている。なお、家庭用薄葉紙収納容器１００には、ティシューペーパーやキッチンペーパーやペーパータオル等のドライタイプの家庭用薄葉紙Ｐを収納しても良い。また、上部に家庭用薄葉紙Ｐを取り出すための開口部ＡＰを有する。
【００２０】
蓋本体２は、開口部ＡＰを覆う蓋部Ｃ、蓋部Ｃの後端部から下方に延出する後壁部ＢＰ、蓋部Ｃの左右の側面から下方に延出する一対の側壁部ＳＰを有し、後壁部ＢＰと一対の側壁部ＳＰとで囲まれた空間内に前記容器本体１を収容する。
また、容器本体１の背面部Ｂと蓋本体２の後壁部ＢＰとの間には弾性部材４が設けられ、前記容器本体１を前方向に付勢する。具体的には、弾性部材４としては、金属（例えば、ステンレス）、ＰＰ（ポリプロピレン（polypropylene））等の樹脂素材、若しくは、シリコン等で形成された圧縮バネ等を用いることができる。
【００２１】
家庭用薄葉紙収納容器１００の容器本体１、蓋本体２及び開閉ボタン３は、ＰＰ（ポリプロピレン（polypropylene））、ＰＥ（ポリエチレン（polyethylene））、ＰＥＴ（ポリエチレンテレフタラート（Polyethylene terephthalate））、ＡＢＳ（アクリロニトリル（Acrylonitrile）、ブタジエン（Butadiene）、スチレン（Styrene）共重合合成樹脂）、塩化ビニール等の樹脂素材を、ブロー形成、射出形成（コールドランナー、ホットランナー）等の製造方法で加工することによって形成される。
【００２２】
ここで、家庭用薄葉紙収納容器１００の蓋部の開閉動作について図２〜図３を用いて説明する。
【００２３】
図２（ａ）に示すように、容器本体１の背面部Ｂと容器本体１の背面部Ｂが対向する蓋本体２の後壁部ＢＰとの間には圧縮バネ等の弾性部材４が設けられている。このため、蓋本体２が閉じた状態（開口部ＡＰが蓋部Ｃにより覆われた状態）では、当該弾性部材４は縮んだ状態になり、容器本体１と蓋本体２との間に反発力を加える。また、図２（ｂ）に示すように、蓋本体２が開いた状態（開口部ＡＰが蓋部Ｃにより覆われていない状態）では、当該反発力が開放されて、弾性部材４は伸びた状態になる。
【００２４】
そして、家庭用薄葉紙収納容器１００は、図２（ａ）の状態において、開閉ボタン３を操作することにより、開閉ボタン３部分の係止が解除されると共に、図２（ｂ）に示すように、容器本体１が、弾性部材４の付勢力により蓋本体２から前方向に押し出されることになる。
【００２５】
このため、図３に示すように、家庭用薄葉紙収納容器１００は、蓋本体２の正面側に、容器本体１の開口部ＡＰ及び内部に収納された家庭用薄葉紙Ｐが現れるようになり、実質的に蓋本体２が開いた状態になる。そして、容器本体１の開口部ＡＰを覆う蓋部Ｃがなくなるので、容器本体１の内部に収納されている家庭用薄葉紙Ｐを取り出すことができる。
なお、家庭用薄葉紙Ｐは、取り出し等を容易にするために、容器本体１の内部に、立てた状態で収納される。
【００２６】
この時、家庭用薄葉紙収納容器１００は、蓋部が開口部の周辺に回動可能に設けられて当該開口部を開閉自在とする構造ではなく、容器本体１が弾性部材４の付勢力により蓋本体２から正面の方向に押し出されることにより開口部ＡＰが現れて、蓋本体２が開いた状態を実現できるため、上部に十分な空間がない棚や収納場所等に、家庭用薄葉紙収納容器１００を置いて使用する場合であっても、蓋部が壁や棚等の上部に引っかかることはなく、家庭用薄葉紙Ｐを容易に取り出すことができる。
【００２７】
例えば、特に、家庭用薄葉紙収納容器１００が、背面の壁に密着して置いてある場合には、蓋本体２が背面の壁に固定されていることになるので、容器本体１は、弾性部材４の付勢力により蓋本体２から前方向に確実に押し出されることになる。
【００２８】
なお、家庭用薄葉紙収納容器１００は、容器本体１を蓋本体２に押し込むと共に、開閉ボタン３を操作して容器本体１の正面部と蓋本体２の正面部とを係止することにより、蓋本体２が閉じた状態に戻すことができる。
【００２９】
以上のように、本発明の実施形態では、容器本体１を蓋本体２に押し込むと共に、開閉ボタン３により容器本体１の正面部と蓋本体２の正面部とを係止して、弾性部材４の付勢力を抑えて、開口部ＡＰが蓋部Ｃにより覆われた状態を維持することにより、開閉ボタン３の操作により開閉ボタン３部分の係止が解除された場合、容器本体１が弾性部材４の付勢力により蓋本体２から前方向に押し出されて開口部ＡＰが露出して、蓋本体２が開いた状態を実現することができるので、上部に十分な空間がない棚や収納場所等に、家庭用薄葉紙収納容器１００を置いて使用する場合であっても、蓋部が壁や棚等の上部に引っかかることはなく、家庭用薄葉紙Ｐを容易に取り出すことができる。
【００３０】
（変形例１）
本発明の実施形態の変形例１について、図４に基づいて説明する。図４は気密性を向上させるため気密性シートが設けられた容器本体１を示す斜視図である。
【００３１】
図４に示すように、容器本体１が気密性を保つために、容器本体１の開口部ＡＰを覆うように、略長方形の気密性シート５が設けられる。具体的に、気密性シート５としては、エラストマーやシリコンから成るシートを用いることができる。
このように、気密性シート５を容器本体１の開口部ＡＰを覆うように設けることにより、容器本体１自体の気密性が向上することになる。
【００３２】
なお、家庭用薄葉紙が容器本体１からはみ出すことによる乾燥を防ぐために、容器本体１の内部に、立てた状態で収納された家庭用薄葉紙の縦方向の長さ（高さ）は、容器本体１の家庭用薄葉紙の収納部分の深さよりも短い（低い）ことが好ましい。
【００３３】
以上のように、変形例１によれば、気密性シート５を容器本体１の開口部ＡＰを覆うように設けることにより、容器本体１自体の気密性が向上することになるので、家庭用薄葉紙の乾燥を防止することができる。
【００３４】
（変形例２）
本発明の実施形態の変形例について、図５に基づいて説明する。図５は気密性を向上させるため気密性シートが設けられた蓋本体２を示す斜視図である。
【００３５】
図５に示すように、蓋本体２であって、容器本体１の開口部ＡＰを覆う部分に気密性シート６が設けられる。具体的に、気密性シート６としては、エラストマーやシリコンから成るシートを用いることができる。
このように、容器本体１の開口部ＡＰを覆う部分には気密性シート６が設けられた蓋本体２に、容器本体１を押し込むと共に、開閉ボタン３を操作して容器本体１の正面部と蓋本体２の正面部とを係止することにより、蓋本体２が閉じた状態にした場合、蓋本体２に設けられた気密性シート６と開口部ＡＰの縁部が密着して気密性を保持することができる。
【００３６】
以上のように、変形例２によれば、蓋本体２であって、容器本体１の開口部ＡＰを覆う部分に気密性シート６が設けることにより、蓋本体２が閉じた状態にした場合、蓋本体２に設けられた気密性シート６と開口部ＡＰの縁部が密着して気密性を保持することができるので、家庭用薄葉紙の乾燥を防止することができる。
【００３７】
（変形例３）
本発明の実施形態の変形例について、図６に基づいて説明する。図６は気密性を向上させるため気密性部材が設けられた蓋本体２を示す斜視図である。
【００３８】
図６に示すように、蓋本体２であって、容器本体１の開口部ＡＰの縁部を覆う部分に気密性部材７が設けられる。具体的に、気密性部材７としては、エラストマーやシリコンから成るパッキン等を用いることができる。
このように、容器本体１の開口部ＡＰの縁部を覆う部分には気密性部材７が設けられた蓋本体２に、容器本体１を押し込むと共に、開閉ボタン３を操作して容器本体１の正面部と蓋本体２の正面部とを係止することにより、蓋本体２が閉じた状態にした場合、蓋本体２に設けられた気密性部材７と開口部ＡＰの縁部が密着して気密性を保持することができる。
【００３９】
以上のように、変形例３によれば、蓋本体２であって、容器本体１の開口部ＡＰの縁部を覆う部分に気密性部材７が設けることにより、蓋本体２が閉じた状態にした場合、蓋本体２に設けられた気密性部材７と開口部ＡＰの縁部が密着して気密性を保持することができるので、家庭用薄葉紙の乾燥を防止することができる。
【００４０】
（変形例４）
本発明の実施形態の変形例について、図７に基づいて説明する。図７は弾性部材４を固定する固定部材が設けられた家庭用薄葉紙収納容器の開状態の一例を示す側面図である。
【００４１】
図７に示すように、容器本体１の背面部Ｂと、背面部Ｂが対向する蓋本体２の後壁部ＢＰの内側にそれぞれ固定部材８が設けられ、当該固定部材８によって弾性部材４の両端は容器本体１と蓋本体２との間に固定される。具体的には、固定部材８としては、弾性部材４である圧縮バネ等の両端部分を引っ掛けるための穴が形成された部材を用いることができる。
【００４２】
以上のように、変形例４によれば、容器本体１の背面部Ｂと背面部Ｂが対向する蓋本体２の後壁部ＢＰとにそれぞれ固定部材８を設けることにより、弾性部材４を確実に容器本体１と蓋本体２との間に固定することがきるので、容器本体１は、弾性部材４の付勢力により蓋本体２から前方向に確実に押し出されることができる。
【００４３】
（変形例５）
本発明の実施形態の変形例について、図８に基づいて説明する。図８はレールとガイドレールが設けられた家庭用薄葉紙収納容器の一例を示す斜視図である。
【００４４】
図８に示すように、容器本体１の一対の側面部Ｓには、弾性部材４の付勢力の方向に平行にレール９がそれぞれ設けられ、一方、蓋本体２の一対の側壁部ＳＰの内側には、当該レール９と係合するようにガイドレール１０がそれぞれ設けられる。具体的には、ガイドレール１０は、短手方向の中央部に、長手方向に沿って溝が形成されており、当該溝の部分にレール９が係合する構造になっている。
【００４５】
蓋本体２が閉じた状態では、レール９がガイドレール１０の溝の部分に係合した状態であり、弾性部材４の付勢力により容器本体１が前方向に押し出される際には、容器本体１の側面部Ｓに設けられたレール９が、蓋本体２の側壁部ＳＰに設けられたガイドレール１０の溝の部分に沿って前方向に移動する。
【００４６】
以上のように、変形例５によれば、容器本体１の側面部Ｓに弾性部材４の付勢の方向に平行にレール９を設け、蓋本体２の側壁部ＳＰの内側に当該レール９と係合するようにガイドレール１０を設けることにより、弾性部材４の付勢力により容器本体１が前方向に押し出される際には、容器本体１の側面部Ｓに設けられたレール９が、蓋本体２の側壁部ＳＰに設けられたガイドレール１０の溝部分に沿って移動することになるので、容器本体１をスムーズに前方向に押し出すことができる。
【００４７】
（変形例６）
本発明の実施形態の変形例について、図９に基づいて説明する。図９は部材が設けられた家庭用薄葉紙収納容器の一例を示す斜視図である。
【００４８】
図９に示すように、蓋本体２の蓋部Ｃの正面には、開口部ＡＰが蓋部Ｃにより覆われた状態で係止部を覆う部材１１が設けられる。すなわち、蓋本体２が閉じた状態では、部材１１が係止部である開閉ボタン３を覆うようになる。
また、蓋本体２が閉じた状態で、部材１１の覆いを解除すると共に、開閉ボタン３の係止を解除することにより、弾性部材４の付勢力により容器本体１が前方向に押し出されて、蓋本体２が開いた状態になる。
【００４９】
以上のように、変形例６によれば、蓋本体２の蓋部Ｃの正面に開口部ＡＰが蓋部Ｃにより覆われた状態で係止部３を覆う部材１１を設けることにより、蓋本体２が閉じた状態にした場合、確実に開閉ボタン３による係止を維持することができるので、蓋本体２が開いた状態になることを確実に防止することができる。
【００５０】
なお、図１に示す一実施形態の説明に際しては、蓋本体２の側壁部の下側が丸みを持った形状になっているが、蓋本体２の側壁部ＳＰの下側を直線状にすると共に、収納する容器本体１の側面部Ｓの縦方向の長さよりも側壁部ＳＰの縦方向の長さを長くして、設置場所に確実に接触する構造にしてもよい。この場合、蓋本体２の側壁部ＳＰの下側が設置場所に確実に固定されることになるので、容器本体１は、弾性部材４の付勢力により蓋本体２から前方向に確実に押し出されることになる。
【００５１】
また、蓋本体２の後壁部ＢＰと一対の側壁部ＳＰとで囲まれた空間の底部を覆うように底面部を設け、前記後壁部ＢＰと一対の側壁部ＳＰと当該底面部で囲まれた空間内に前記容器本体１を収容する構造にしてもよい。この場合、蓋本体２の底面部が面で設置場所に接触して、確実に設置場所に固定されることになるので、容器本体１は、弾性部材４の付勢力により蓋本体２から前方向に確実に押し出されることになる。
【００５２】
また、開閉ボタン３は、別部品として成型した後、容器本体１と組み合わせるものであっても、容器本体１と一体成型するものであってもどちらでも構わない。
【００５３】
また、本発明の実施形態の変形例３では、気密性部材７を蓋本体２であって容器本体１の開口部ＡＰの縁部を覆う部分に設ける旨記載しているが、容器本体１の開口部ＡＰの縁部に直接、気密性部材を設けても構わない。さらに、容器本体１及び蓋本体２のどちらか一方、あるいは、容器本体１及び蓋本体２の両方に気密性部材を設けるものであっても構わない。
【符号の説明】
【００５４】
１  容器本体
２  蓋本体
３  開閉ボタン
４  弾性部材
５、６  気密性シート
７  気密性部材
８  固定部材
９  レール
１０  ガイドレール
１１  部材
ＡＰ  開口部
Ｆ  正面部
Ｂ  背面部
Ｓ  側面部
Ｔ  底面部
Ｃ  蓋部
ＳＰ  側壁部
ＢＰ  後壁部
Ｐ  家庭用薄葉紙
１００  家庭用薄葉紙収納容器
【図１】
2014210598.tif 000003
【図２】
2014210598.tif 000004
【図３】
2014210598.tif 000005
【図４】
2014210598.tif 000006
【図５】
2014210598.tif 000007
【図６】
2014210598.tif 000008
【図７】
2014210598.tif 000009
【図８】
2014210598.tif 000010
【図９】
2014210598.tif 000011